(57)【要約】【課題】  特徴部分を正確にカウントして自動位置決めの際に本来の停止位置に正確に停止させることができる動釣合試験機を提供する。【解決手段】  サーボモータ９の回転を制御するためのモータ駆動パルス信号Ｄを発生してサーボモータ９に送るモータ駆動用パルス制御部２３と、回転する供試体Ｗの回転方向の特徴部分１５を検出し、回転方向の位置決めの基準となる回転基準信号Ｓを生成する回転位置センサ１６と、モータ駆動パルス制御部２３からのモータ駆動パルス信号Ｄに基づいて回転基準信号Ｓの概略波形を予測した予測信号Ｐを生成する予測信号生成部２４と、前記回転基準信号Ｓに対して前記予測信号Ｐに基づいて波形の補正を行うことにより補正回転基準信号Ａを生成する回転基準信号補正部２５と、前記補正回転基準信号Ａに基づいて供試体Ｗの回転方向の位置決めを行う回転位置制御部２２とを備え、回転基準信号の読み誤りを補正した補正回転基準信号に基づいて停止させる。【選択図】図２
2005091317.tif 000002
【特許請求の範囲】
【請求項１】
サーボモータを用いた駆動機構により供試体を回転させて供試体の不釣合を測定する動釣合試験機であって、
サーボモータの回転を制御するためのモータ駆動パルス信号を発生してサーボモータに送るモータ駆動用パルス制御部と、
回転する供試体の回転方向の特徴部分を検出し、回転方向の位置決めの基準となる回転基準信号を生成する回転位置センサと、
モータ駆動パルス制御部からのモータ駆動パルス信号に基づいて回転基準信号の概略波形を予測した予測信号を生成する予測信号生成部と、
前記回転基準信号に対して前記予測信号に基づいて波形の補正を行うことにより補正回転基準信号を生成する回転基準信号補正部と、
前記補正回転基準信号に基づいて供試体の回転方向の位置決めを行う回転位置制御部とを備えたことを特徴とする動釣合試験機。
【発明の詳細な説明】
【技術分野】
【０００１】
本発明は、回転する供試体の不釣合いを測定する動釣合試験機に関し、さらに詳細には、測定を終えた供試体の回転を停止するときに、回転体の釣合調整を容易にするために動釣合試験の結果に基づいて釣合の取れていない位置（方向）を自動的に一定方向に向けて回転を停止する自動位置決め機構を備えた動釣合試験機に関する。
【背景技術】
【０００２】
動釣合試験では、回転方向の位置を特定するため、回転体自体が有する局所的な突起、反射面などの特徴部分（人為的に回転面に形成したマークなども含む）を基準として回転や停止位置の制御が行われる。
自動位置決め機構を備えた動釣合試験機は、動釣合試験を終了し回転体を停止する際に、この特徴部分を利用して回転方向の位置を検出し、例えば不釣合が生じている偏心方向を自動的に上方に向けて停止するようにしているので、その後のバランス調整において、調整位置をすぐに見つけることができ、利便性に優れている。
【０００３】
特に、モータロータ、歯車のように円周方向に同形状の突起部分（特徴部分）が複数形成されている回転体では、停止させてから目視で偏心方向を探そうとすると、複数の同形状の特徴部分から偏心方向を探さなければならないので、偏心方向を誤りやすい。そのため、自動位置決め機構を備えた動釣合試験機が利用されている（例えば特許文献１参照）。
【０００４】
図４は、従来からの動釣合試験機の構成を示す図である。図において、供試体Ｗは回転体であり、供試体Ｗの円周面には特徴部分１５である突出部が周方向に沿って等間隔で並んでいる（例えば歯車の場合、歯先が特徴部分となる）。
供試体Ｗの両端の軸部２、３は、ばね４、５で弾性支持された軸受６、７により支持されており、供試体１はベルト８を介してサーボモータ９により回転駆動されるようにしてある。
左右の軸受６、７には、供試体１の不釣合に伴う軸受６，７の振動を測定するピックアップ（ムービングコイル式振動検出センサ）１０、１１が取り付けられている。
ピックアップ１０、１１により測定されたデータは、増幅部１２、１３を介してコンピュータからなる制御部１４に送られる。
【０００５】
また、供試体Ｗの円周面のすぐ外側で、特徴部分１５に対向する位置には、回転位置センサ１６が設けてある。回転位置センサ１５は、供試体Ｗの回転により特徴部分１５が通過するとこれを検出し、回転基準信号（特徴部分１５の検出信号）として増幅部１７を介して制御部１４に送る。回転基準信号には、回転位置センサ１５の前を通過する特徴部分１５の情報がパルス列の形で含まれており、このパルス列は供試体の回転周波数に比例する。そして、このパルスのカウント数から現在の供試体Ｗの回転方向の位置情報を得ることができる。
【０００６】
制御部１４は、種々の機能を実行する。制御部１４の機能をそれぞれ説明すると、演算部２１が測定データおよび回転基準信号に基づいて供試体Ｗの不釣合量、不釣合角度を算出する。また、回転位置制御部２２が回転位置センサ１６からの回転基準信号に基づいて回転体の回転方向の位置を制御し、供試体Ｗを自動的に位置決めして停止するときの位置を制御する。また、モータ駆動パルス制御部２３は、サーボモータ９に送り出すパルス数を制御してサーボアンプ２８を介してサーボモータ９の回転を制御することにより、モータ駆動される供試体Ｗを回転するときの回転数を制御する。
【特許文献１】特開平９−２５７６２２号公報
【発明の開示】
【発明が解決しようとする課題】
【０００７】
従来の自動位置決め機能を搭載した動釣合試験機は、上述したように回転位置センサで検出した回転基準信号により供試体の停止位置を求めるようにしている。この回転基準センサは、供試体を数１０００ｒｅｖ／ｍｉｎの高速で回転しているときから１ｒｅｖ／ｍｉｎ以下の低速で回転（停止直前）しているときまでのすべての回転数領域において、正確に供試体の特徴部分を検出する必要がある。従来は、この広範囲の回転数領域での測定を回転位置センサの増幅器の感度調整により対応していた。
【０００８】
しかしながら、回転位置センサの増幅器の感度を上げすぎると供試体の特徴部分以外も検出してしまうし、逆に感度を下げすぎると特徴部分を拾わずに飛ばしてしまうことになる。また、特徴部分も回転面の表面状態などの個体差によって最適感度が異なるため、実際には増幅器の調整幅は大変狭く、調整作業が非常に困難であり、すべての供試体の個体差を許容しうる感度調整はできない場合があった。
【０００９】
特に、供試体の回転面の特徴部分の状態が一定ではない場合は、感度調整だけでは対応できない場合がある。例えば特徴部分の表面が鏡面に仕上げられている供試体の一部が錆びていている場合には、回転位置センサに供試体の回転面からの反射光を検出する反射型センサを用いた場合に、錆びている特徴部分を検出できない場合があった。
供試体の特徴部分の検出を誤り正しい位置が検出できないと、自動位置決め機構で正しい位置に自動停止できなくなる。
【００１０】
そこで、本発明は、回転位置センサの増幅器の調整を容易にし、しかも、供試体の固体差の影響を受けにくくして、供試体の特徴部分の通過数を正確に把握することができ、その結果、停止位置を正確に位置決めすることができるようにした動釣合試験機を提供することを目的とする。
【課題を解決するための手段】
【００１１】
上記課題を解決するためになされた本発明の動釣合試験機は、サーボモータを用いた駆動機構により供試体を回転させて供試体の不釣合を測定する動釣合試験機であって、サーボモータの回転を制御するためのモータ駆動パルス信号を発生してサーボモータに送るモータ駆動用パルス制御部と、回転する供試体の回転方向の特徴部分を検出して回転方向の位置決めの基準となる回転基準信号を生成する回転位置センサと、モータ駆動パルス制御部からのモータ駆動パルス信号に基づいて回転基準信号の概略波形を予測した予測信号を生成する予測信号生成部と、前記回転基準信号に対して前記予測信号に基づいて波形の補正を行うことにより補正回転基準信号を生成する回転基準信号補正部と、前記補正回転基準信号に基づいて供試体の回転方向の位置決めを行う回転位置制御部とを備えるようにしている。
【００１２】
この動釣合試験機によれば、サーボモータ駆動パルス制御部で発生したモータ駆動パルス信号がサーボモータに送られる。サーボモータはモータ駆動パルス信号の周波数に比例した回転速度で回転し、供試体はサーボモータに駆動されて回転する。したがってモータ駆動パルス周波数は供試体の回転周波数に比例する。そのためモータ駆動パルス信号を利用すると、回転位置センサが供試体の特徴部分を読み取る時期（タイミング）を予測することができる。そこで、予測信号生成部がモータ駆動パルス信号に基づいて（回転位置センサによる検出信号とは独立して）、特徴部分が通過すると予測される時刻と特徴部分が通過しないと予測される時刻とに対応したパルス波形を有する予測信号を生成する。
一方、回転位置センサは実際に回転する供試体の特徴部分を検出することにより回転基準信号を出力する。
回転基準信号補正部は、予測信号を参照し、予測信号から回転基準信号が供試体の特徴部分を読み飛ばしていると判断される場合には、読み飛ばしたと推定される位置に新たにパルスを追加し、予測信号から回転基準信号が供試体の特徴部分以外を誤って検出してしまっていると判断される場合には、対応するパルスを削除する。
【発明の効果】
【００１３】
上記発明によれば、モータ駆動パルス信号に基づいて生成した予測信号を利用して回転基準信号を補正することで、たとえ、回転位置センサが特徴部分を読み飛ばしたり、誤認識したりしても特徴部分を正確に捉えた補正回転基準信号を生成することができる。
そして、回転位置制御部は補正回転基準信号に基づいて供試体の回転方向の位置決めをすることにより自動位置決めの際に供試体を正確に位置決めしつつ停止させることができる。
【発明を実施するための最良の形態】
【００１４】
以下、本発明の動釣合試験機について図面を用いて説明する。
図１は本発明の一実施形態である動釣合試験機の構成を示すブロック図である。図１において図４と同じ部分については同符号を付すことにより説明を省略する。
【００１５】
図１に示した本発明の動釣合試験機１は、図４に示した従来の動釣合試験機の構成を基本とし、さらに制御部１４において予測信号生成部２４と回転基準信号補正部２５を設けている。
予測信号生成部２４は、モータ駆動パルス制御部２３が生成するモータ駆動パルス信号を元にして、回転位置センサ１６が特徴部分１５を検出すると予測される時刻ごとにパルスを有する予測信号を生成する。
回転基準信号補正部２４は、回転位置センサ１５で検出した回転基準信号と予測信号とを比較し、回転基準信号に欠陥があれば補正して補正回転基準信号を生成する。
そして、回転位置制御部２２は、補正回転基準信号に基づいて供試体Ｗの回転の停止位置を制御する。
【００１６】
図２は図１の動釣合試験機の信号の流れを説明する図である。図３は、各信号のタイムチャートである。上記動釣合試験機１における信号の流れを図２および図３により説明する。
図２に示すように、例えば８つの同一形状の特徴部分が形成された供試体Ｗはベルトを介してサーボモータ９により駆動される。
サーボモータ９はモータ駆動パルス制御部２３からサーボアンプ２４を介して送られてくるモータ駆動用信号Ｄ（図３（ａ）参照）により回転が制御される。
供試体Ｗの側面に近接配置された回転位置センサ１６は、８つの特徴部分１５を検出できるように取り付けてあり、検出信号は実測された回転基準信号Ｓ（図３（ｃ）参照）として増幅部１７を介して予測信号生成部２５に送られる。
【００１７】
一方、モータ駆動用パルス制御部２３からは別に、モータ駆動パルス信号Ｄが予測信号生成部２４に送られる。予測信号生成部２４には、あらかじめ回転基準信号の１間隔あたりのモータ駆動パルス信号のパルス数（Ｎ）、回転基準信号検出領域の幅（Ｌ）（予測信号のパルス幅）を設定できるようにしてある。  Ｎの値は１パルスあたりのサーボモータの回転角度から逆算して決定される。ここではＮとして１２００パルスが設定してあり、予測信号生成部２４は１２００パルスごとに特徴部分が通過するものと判断する。またＬとして２０パルスが設定してあり、予測信号生成部２４は特徴部分が通過する可能性があるばらつき幅として２０パルス間を許容するように設定してある。
【００１８】
そして予測信号生成部２４は、設定したＮとＬの値に基づいて１２００パルスごとに２０パルス間だけＯＮ状態になる予測信号Ｐ（図３（ｂ）参照）を生成する。この予測信号ＰはＯＮ状態のときにゲートが開く信号として捉えることができる（なお、図３（ｂ）では本来モータ駆動パルスＤが１２００パルスごとに２０パルス間だけゲートが開いた図になるが、紙面の都合上、パルス数は正確に記載していない。ここではモータ駆動パルス信号４パルス分が１２００パルスとして記載し、１．５パルス分が２０パルスとして便宜的に表現してある）。
【００１９】
回転基準信号補正部２５は、予測信号Ｐと回転基準信号Ｓとを比較する。もしも予測信号Ｐのゲートが閉じた区間（ＯＦＦ状態）内に、回転基準信号Ｓのパルスがある場合、このパルスは誤検出されたものと判断する。また、予測信号Ｐのゲートが開いた区間（ＯＮ状態）内に、回転基準信号Ｓのパルスがない場合、その区間のパルスが読み飛ばされたものと判断する。
【００２０】
そして、前者の場合には、回転基準信号から該当するパルスを削除し、後者の場合には該当する位置にパルスを追加して補正回転基準信号Ａ（図３（ｄ）参照）を生成する。
このようにして生成された補正回転基準信号Ａは、回転位置センサ１６が特徴部分１５を読み誤ったとしても、それを補償することができるので正確に回転位置を把握することができる。
この補正回転基準信号Ａの回転位置制御部２２に送ることにより、特徴部分１５を正確にカウントして供試体Ｗを停止させることができるので、正確な自動位置決めが可能になる。
【産業上の利用可能性】
【００２１】
本発明によれば、回転位置センサが検出する回転基準信号を、モータ駆動パルス信号に基づく予測信号により補正するようにしたので、回転位置センサが特徴部分を読み誤ったとしても補正により正確に特徴部分を把握することができるので、自動位置決め機構に本制御を適用することで、正確な自動位置決めを行うことができる動釣合試験機を製作することができる。
【図面の簡単な説明】
【００２２】
【図１】本発明の一実施形態である動釣合試験機の全体構成を示すブロック図。
【図２】図１の動釣合試験機の信号の流れを説明する図。
【図３】図１の動釣合試験機の信号状態を示すタイムチャート。
【図４】従来からの動釣合試験機の全体構成を示すブロック図。
【符号の説明】
【００２３】
１        動釣合試験機
６、７    軸受
９        サーボモータ
１０、１１  ピックアップ
１４        制御部
１５        特徴部分
１６        回転位置センサ
２１        演算部
２２        回転位置制御部
２３        モータ駆動パルス制御部
２４        予測信号生成部
２５        回転基準信号補正部
Ｄ        モータ駆動パルス信号
Ｐ        予測信号
Ｓ        回転基準信号
Ａ        補正回転基準信号
【図１】
2005091317.tif 000003
【図２】
2005091317.tif 000004
【図３】
2005091317.tif 000005
【図４】
2005091317.tif 000006